(57)【特許請求の範囲】
【請求項１】
映像データを管理する管理データを生成する生成手段と、
光ディスクに前記映像データ及び前記管理データを書き込む書き込み手段と、
前記光ディスクに書き込まれている前記映像データ及び前記管理データを読み出す読出し手段と、
前記映像データを、前記管理データを利用して再生する手段と、
前記光ディスク上に異なるテレビジョン放送方式の映像データが記録されるのを防ぐ防止手段と、
前記書き込み手段が書き込みできる映像データのテレビジョン放送方式に関する識別情報を保持する保持手段を有し、
前記管理データは、前記光ディスクに記録されている映像データのテレビジョン放送方式に関する識別情報を含み、
前記防止手段は、前記管理データに含まれる識別情報と前記保持手段が保持している識別情報とが一致するか比較し、一致しない場合には前記光ディスクへの前記映像データの書き込みを禁止することを特徴とする光ディスク映像記録再生装置。
【請求項２】
請求項１記載の光ディスク映像記録再生装置において、
前記防止手段により、前記管理データに含まれる識別情報と前記保持手段が保持している識別情報とが一致すると判断した場合には前記光ディスクへの前記映像データの書き込みを行うことを特徴とする光ディスク映像記録再生装置。
【発明の詳細な説明】
【０００１】
【発明の属する技術分野】
本発明は、映像データを記録する光ディスク映像記録再生装置に関する。
【０００２】
【従来の技術】
光ディスクを用いた記録再生装置において、例えば特開平１１−１５５１３０号公報に記載の装置が提案されている。この公報に開示された装置では、リアルタイムに映像信号を圧縮すると共に、再生に使用するＡＶ管理テーブルデータを生成し光ディスクに記録する記述はあるが、入力される映像信号（テレビジョン方式）については、単一として記述されている。
【０００３】
【発明が解決しようとする課題】
本発明の目的は、同じ光ディスク上に異なるテレビジョン方式（例えばＮＴＳＣ信号、ＰＡＬ信号）の映像データの混在記録を防止することにある。
【０００４】
【課題を解決するための手段】
上記課題を解決するため、本発明では、光ディスク映像記録再生装置に映像データを管理する管理データを生成する生成手段と、光ディスクに前記映像データ及び前記管理データを書き込む書き込み手段と、前記光ディスクに書き込まれている前記映像データ及び前記管理データを読み出す読出し手段と、前記映像データを、前記管理データを利用して再生する手段と、前記光ディスク上に異なるテレビジョン放送方式の映像データが記録されるのを防ぐ防止手段を持たせることとする。より具体的には、ＡＶ管理テーブルデータに、記録した映像信号のテレビジョン放送方式（例えばＮＴＳＣ信号、ＰＡＬ信号）を示すビデオ属性データ領域を持たせる。また、光ディスク映像記録再生装置においては、どのテレビジョン放送方式に対応しているかを示す情報を持たせる。前記情報の持ち方については、電気的回路にて実現しても良い。また、半導体メモリに書き込んでおき、プログラムから読み込んでも良い。判別の方法については、記録開始前にＡＶ管理テーブルデータからビデオ属性を読み込み、さらに、光ディスク映像記録装置が対応するテレビジョン放送方式データを電気的回路または半導体メモリから読み込み、比較し不一致判別を行うことで混在を防止する。防止手段としては警告メッセージを出すなどしてユーザへ通知する。ＡＶ管理データテーブルにビデオ属性が無いときには、比較処理は無効となる。
【０００５】
【発明の実施の形態】
本発明の実施例を図１、図２及び図３により説明する。図１は光ディスク映像記録再生装置の制御系を模式的に示した図である。図２は入力された映像信号をリアルタイムで圧縮した映像データを、再生時に使用するＡＶ管理テーブルファイルの階層図の内、ビデオ属性の含まれる１部を表した図である。図３は記録されているテレビジョン放送方式のビデオ属性と光ディスク映像記録再生装置が対応するテレビジョン方式のデータを比較判定するためのフローチャートである。
【０００６】
始めに、構成を説明する。１は光ディスク映像記録再生装置、２はシステム制御部、３はＣＰＵ、４は主記憶、５はワークメモリ、６はＭＰＥＧ ＣＯＤＥＣ、７は映像信号処理部、８は映像信号入力部、９は映像信号出力部、１０は音声信号入力部、１１はアナログ信号からデジタル信号への変換器、１２はデジタル信号からアナログ信号への変換器、１３は音声信号出力部、１４は音声用バッファ、１５はバスインターフェース部、１６は光ディスク制御部、１７は書き換え可能光ディスク、１８は警告メッセージデータ処理部である。
【０００７】
次に、実施例に用いる光ディスク映像記録再生装置１について説明する。
【０００８】
バスに接続されたシステム制御部２のＣＰＵ３、ワークメモリ５、及び主記憶４により、主記憶４に格納されているプログラムを実行することで映像音声信号の記録再生動作などの装置全体の制御を行う。
【０００９】
記録時は映像信号入力部８から映像信号を取込み映像信号処理部７に入り、ＭＰＥＧ ＣＯＤＥＣ部６により符号化された映像データがバスを介してワークメモリ５に溜められる。音声は音声信号入力部１０より取込みＡ／Ｄ変換器１１によりデジタル信号化されたデータをオーディオバッファ１４に溜め、ＣＰＵ３にてＭＰＥＧ符号化処理を行った後バスを介してワークメモリ５に溜められる。さらにＣＰＵ３にてワークメモリ５に溜められた各種データを順次ＭＰＥＧストリームとして生成し、バスＩ／Ｆ部１５を介してＭＰＥＧストリームを光ディスク制御部１６へ送る。光ディスク制御部１６はデータ読み書きのためのトラックバッファを持ち、光ディスク１７へのアクセスが可能となったときに、光ディスク制御部１６は、光ディスク１７にトラックバッファのデータを書き込み、ＭＰＥＧストリームの記録動作が完了する。再生時に使用するＡＶ管理テーブルデータは、ＭＰＥＧストリームデータの生成と共に作成される。ＡＶ管理テーブルデータは、電源起動時に光ディスク１７より読み込まれワークメモリ５に展開される。
【００１０】
ワークメモリ上のＡＶ管理テーブルへのデータ更新処理は、記録毎に行われ、その内容は光ディスク１７に記録されるＭＰＥＧデータの論理アドレス情報や時間情報などである。また、記録開始時に映像信号のＴＶ方式情報を付加する。ＡＶ管理テーブルデータは、電源終了時に光ディスク１７に書き込まれる。
【００１１】
再生時は、光ディスク１７よりＭＰＥＧストリームデータを光ディスク制御部１６、バスＩ／Ｆ部１５からバスを介してワークメモリ５に読み込み、ＡＶ管理テーブルデータの情報に従いＭＰＥＧストリームデータを映像データと音声データに分離して、映像信号はＭＰＥＧ ＣＯＤＥＣ６にて伸張処理が行われ映像信号処理部７を通して映像信号出力部へ出力される。また、音声データはＣＰＵ３にて伸張処理が行われた後、オーディオバッファ１４、Ｄ／Ａ変換器１２を通して音声信号出力部へ出力される。
【００１２】
以下、本実施例の説明を図２、図３を用いて行う。電源起動時に装着されている書き換え可能光ディスク１７からＡＶ管理テーブルデータをワークメモリ５に展開する。展開したＡＶ管理テーブルデータの中から、図２で示すビデオ属性におけるＴＶ方式情報を読み出す。さらに、主記憶４に書き込まれている光ディスク記録再生装置１が対応しているＴＶ方式データを読み込み、前記ＴＶ方式と比較を行う。比較結果として、不一致の場合は主記憶に用意されている警告メッセージデータを読み出し、前記データを警告メッセージデータ処理部１８を介して映像出力データに重畳させて警告表示を行う。また、一致またはＡＶ管理テーブルデータ上にビデオ属性のＴＶ方式データがない場合は、警告メッセージ表示は行わない。
【００１３】
【発明の効果】
本発明によれば、同じ光ディスク上に異なるテレビジョン方式の映像データの混在記録を防止することができる。
【図面の簡単な説明】
【図１】本発明の一実施例を説明するためのブロック図。
【図２】ＡＶ管理テーブルデータファイルの構成図。
【図３】本発明の判別を行うフローチャート。
【符号の説明】
１…光ディスク記録再生装置、２…システム制御部、３…ＣＰＵ、４…主記憶、  ５…ワークメモリ、６…ＭＰＥＧ  ＣＯＤＥＣ、７…映像信号処理部、８…映像信号入力部、９…映像信号出力部、１０…音声信号入力部、１１…Ａ／Ｄ変換器、１２…Ｄ／Ａ変換器、１３…音声信号出力部、１４…オーディオバッファ、１５…バスＩ／Ｆ部、１６…光ディスク制御部、１７…書き換え可能光ディスク、１８…警告メッセージデータ処理部。
【図１】
0003843682.tif 000002
【図２】
0003843682.tif 000003
【図３】
0003843682.tif 000004